(57)【要約】【課題】既存の自動車の駐車空間を有効に利用することにより収納空間を確保することが可能な駐車場付き倉庫の提供。【解決手段】収納空間Ｓを形成するコンテナ１と、コンテナ１を保持して昇降させるとともに車両Ｃを駐車するための駐車空間Ｐを確保するためのフレーム２と、フレーム２に沿ってコンテナ１を昇降させる昇降装置３とから構成され、コンテナ１を上昇させた状態では、この確保された駐車空間Ｐ内に車両Ｃを駐車することができる。また、コンテナ１内の収納空間Ｓへ収納物を出し入れする際には、駐車空間Ｐから車両Ｃを出し、コンテナ１を昇降装置３により下降させた状態でシャッタ１１の開閉から収納物の出し入れ作業までを容易に行うことができる。【選択図】        図１
2004183214.tif 000002
【特許請求の範囲】
【請求項１】
駐車空間と、同駐車空間上で昇降するコンテナと、同コンテナを昇降可能に支持するフレームと、前記コンテナを昇降させる昇降装置とを備えた駐車場付き倉庫。
【請求項２】
前記フレームは、前記コンテナを片持ちするものである請求項１記載の駐車場付き倉庫。
【請求項３】
前記コンテナに広告を掲載した請求項１または２に記載の駐車場付き倉庫。
【請求項４】
前記フレームの周りを、囲い材により覆った請求項１から３のいずれかに記載の駐車場付き倉庫。
【発明の詳細な説明】
【０００１】
【発明の属する技術分野】
本発明は、駐車空間を備えた駐車場付き倉庫に関する。
【０００２】
【従来の技術】
不動産活用として、アパート経営、駐車場経営や売買等により利益が得られた時代は過ぎた。手軽な土地の有効活用として、いわゆるコインパーキングが爆発的なブームとなっているが、供給過剰状態となって遊休不動産が増えている。昨今は、所有する土地をどれだけ有効に活用するか、管理費や運用費などの経費をどれだけ削減するかが重要な課題となっている。
【０００３】
また、土地の有効活用として、小型コンテナによるレンタル倉庫事業も盛んである（例えば、非特許文献１を参照。）。家庭では暖房器具といった季節物の保管場所として利用し、事業所では法定で保存年数が決められている書類などの保管場所として利用する。また、特許文献１に記載のようなレンタル倉庫システムも提案されている。
【０００４】
【非特許文献１】
“コンテナ・レンタルボックス・トランクルーム”、［ｏｎｌｉｎｅ］、［平成１４年１１月２０日検索］、インターネット＜ＵＲＬ：ｈｔｔｐ：／／ｗｗｗ．ｋａｓｅｓｏｋｏ．ｃｏ．ｊｐ／ｉｎｄｅｘ．ｈｔｍｌ＞
【特許文献１】
特開平１１−１５７６１６号公報
【０００５】
【発明が解決しようとする課題】
家庭や事業所等では経費削減などの理由から物の保管場所に苦慮しており、上記のようにレンタル倉庫に対するニーズは高い。しかしながら、レンタル倉庫を利用するにも新たな経費が必要となるため、気軽に利用しにくいという問題がある。
【０００６】
ところで、家庭や事業所等では必ずと言っていいほど自動車を利用しており、自動車を利用する以上、その駐車空間は必ず確保してある。本発明は、このような既存の自動車の駐車空間を有効に利用することにより収納空間を確保することが可能な駐車場付き倉庫を提供することを目的とする。
【０００７】
【課題を解決するための手段】
本発明の駐車場付き倉庫は、駐車空間と、駐車空間上で昇降するコンテナと、コンテナを昇降可能に支持するフレームと、コンテナを昇降させる昇降装置とを備えたものである。
【０００８】
本発明の駐車場付き倉庫によれば、コンテナ内に収納空間を確保するとともに、コンテナを昇降装置により上昇させた状態では、コンテナの下方に駐車空間を確保することができる。コンテナ内への収納物の出し入れは、駐車空間から駐車車両を出し、コンテナを昇降装置により下降させた状態で容易に行うことができる。
【０００９】
ここで、フレームが、コンテナを片持ちするものであれば、コンテナを上昇させた状態において、片持ちしている一方の側を除いてコンテナ下の駐車空間に障害物がなくなるため、駐車空間への車両の出し入れが容易となる。
【００１０】
また、コンテナには広告を掲載することが可能である。昇降するコンテナに広告を掲載することによって、コンテナを昇降装置により上昇させた状態では、広告が高い位置に配されるため、広告の視認性が高まる。一方、コンテナを昇降装置により下降させた状態では、広告の入れ替えなどの作業を容易に行うことができる。
【００１１】
また、フレームの周りは、囲い材により覆うことが望ましい。これにより、コンテナを上昇させた状態の駐車空間の周りが覆われ、この駐車空間に駐車する車両を保護することができる。囲い材としては、透明、半透明または不透明のフィルム、シートやプレート等を用いることができる。
【００１２】
【発明の実施の形態】
（実施の形態１）
図１は本発明の第１実施形態における駐車場付き倉庫を示す図であって、（ａ）は正面図、（ｂ）は右側面図である。図２は図１のコンテナを下げた状態を示す図であって、（ａ）は正面図、（ｂ）は右側面図である。
【００１３】
図に示すように、本実施形態における駐車場付き倉庫は、収納空間Ｓを形成するコンテナ１と、コンテナ１を保持して昇降させるとともに車両Ｃを駐車するための駐車空間Ｐを確保するためのフレーム２と、フレーム２に沿ってコンテナ１を昇降させる昇降装置３とから構成される。コンテナ１の正面には、収納空間Ｓを開閉するためのシャッタ１１を備える。
【００１４】
フレーム２は、駐車空間Ｐの左右にそれぞれ立設した門型のメインフレーム２１，２２と、これらの左右のメインフレーム２１，２２を連結するサブフレーム２３，２４とから構成される。メインフレーム２１，２２は、アスファルト、コンクリートやモルタル等により形成された土台４上にアンカーボルト５等を用いて固定される。
【００１５】
昇降装置３は、メインフレーム２１，２２に沿って昇降可能なパレット３１と、パレット３１を昇降させる昇降機構３２と、昇降機構３２を動作させるスイッチ（図示せず）とから構成される。昇降機構３２は、パレット３１に連結されたチェーン３３と、チェーン３３を上げ下げするモータ３４とを備える。コンテナ１は、パレット３１上に載置され、昇降機構３２によってパレット３１とともに昇降する。
【００１６】
上記構成の駐車場付き倉庫によれば、コンテナ１内に収納空間Ｓを確保するとともに、コンテナ１を昇降装置３により上昇させた状態では、コンテナ１の下方に駐車空間Ｐが確保される。したがって、図１に示すようにコンテナ１を上昇させた状態では、この確保された駐車空間Ｐ内に車両Ｃを駐車することができる。また、コンテナ１内の収納空間Ｓへ収納物を出し入れする際には、駐車空間Ｐから車両Ｃを出し、コンテナ１を昇降装置３により下降させた状態でシャッタ１１の開閉から収納物の出し入れ作業までを容易に行うことができる。
【００１７】
このような本実施形態における駐車場付き倉庫は、家庭や事業所等で確保している既存の駐車空間Ｐを有効に利用して、この駐車空間Ｐの上に、コンテナ１、フレーム２および昇降装置３を設置するだけで簡単に実現できる。なお、図１の例では、車両Ｃの１台分の駐車空間Ｐに対応した駐車場付き倉庫について示しているが、複数台分の駐車空間に対応した駐車場付き倉庫を実現することも可能である。
【００１８】
また、図示していないが、コンテナ１の側面やシャッタ１１などに広告を掲載することも可能である。これにより、コンテナ１を昇降装置３により上昇させた状態では、広告が高い位置に配されるため、広告の視認性が高まり、高い広告効果を期待できる。また、広告の入れ替えなどの作業は、コンテナ１を昇降装置３により下降させた状態で容易に行うことができる。
【００１９】
また、フレーム２の周りをフィルム、シートやプレートなどの囲い材により覆うことも可能である。これにより、コンテナ１を昇降装置３により上昇させた状態で駐車空間に駐車する車両の周りが覆われるため、その車両を風雨や塵埃などから保護することができる。
【００２０】
ここで、囲い材を透明または半透明とすれば、駐車空間Ｐに駐車してある車両をこの囲い材を通して外側から確認することができ、駐車空間Ｐに車両を駐車したままコンテナ１を下降させてしまうのを防止することができる。あるいは、囲い材を不透明とすれば、駐車空間Ｐに駐車してある車両が囲い材を通して外部から見えなくなるため、車両へのいたずら等を防止することができる。
【００２１】
（実施の形態２）
図３は本発明の第２実施形態における駐車場付き倉庫を示す図であって、（ａ）は正面図、（ｂ）は右側面図である。
【００２２】
図３に示すように、第２実施形態における駐車場付き倉庫は、第１実施形態におけるフレーム２に対応するフレーム６が片持ちするものとして構成した例を示している。
【００２３】
図３に示すように、フレーム６は、駐車空間Ｐに駐車する車両Ｃに向かって左右の一方の側（図示例では左側）に立設した門型のメインフレーム６１と、このメインフレーム６１を支持する支持フレーム６２とから構成される。また、昇降装置７は、メインフレーム６１に沿って昇降可能なパレット７１と、パレット７１を昇降させる昇降機構（図示せず）とから構成される。昇降機構は、メインフレーム６１内に組み込まれている。
【００２４】
上記構成の駐車場付き倉庫によれば、第１実施形態における駐車場付き倉庫と同様の効果が得られることに加え、コンテナ１を上昇させた状態において、メインフレーム６１が立設された一方の側を除いてコンテナ１下の駐車空間Ｐに障害物がなくなるため、駐車空間Ｐへの車両Ｃの出し入れが容易となる。
【００２５】
なお、本実施形態においては、メインフレーム６１を駐車空間Ｐの左右の一方の側に立設した例について示したが、メインフレーム６１を駐車空間Ｐの後方に立設することも可能である。
【００２６】
【発明の効果】
本発明により、以下の効果を奏することができる。
【００２７】
（１）駐車空間上で昇降するコンテナと、コンテナを昇降可能に支持するフレームと、コンテナを昇降させる昇降装置とを備えたことにより、コンテナ内に収納空間を確保するとともに、コンテナを昇降装置により上昇させた状態では、コンテナの下方に駐車空間を確保することができるため、既存の駐車空間を有効に利用して収納空間を確保することが可能となる。
【００２８】
（２）フレームが、コンテナを片持ちするものであれば、コンテナを上昇させた状態において、一方の側を除いてコンテナ下の駐車空間に障害物がなくなるため、駐車空間への車両の出し入れが容易となる。
【００２９】
（３）コンテナに広告を掲載することで、コンテナを上昇させた状態では広告の視認性が高まるため、高い広告効果を期待できるとともに、コンテナを昇降装置により下降させた状態では、広告の入れ替えなどの作業を容易に行うことができる。
【００３０】
（４）フレームの周りを囲い材により覆うことで、駐車空間に駐車する車両を風や塵埃などから保護することができる。
【図面の簡単な説明】
【図１】本発明の第１実施形態における倉庫付き駐車場を示す図であって、（ａ）は正面図、（ｂ）は右側面図である。
【図２】図１のコンテナを下げた状態を示す図であって、（ａ）は正面図、（ｂ）は右側面図である。
【図３】本発明の第２実施形態における倉庫付き駐車場を示す図であって、（ａ）は正面図、（ｂ）は右側面図である。
【符号の説明】
１  コンテナ
２，６  フレーム
３，７  昇降装置
４  土台
５  アンカーボルト
１１  シャッタ
２１，２２，６１  メインフレーム
２３，２４  サブフレーム
３１，７１  パレット
３２  昇降機構
３３  チェーン
３４  モータ
６２  支持フレーム
Ｃ  車両
Ｐ  駐車空間
Ｓ  収納空間
【図１】
2004183214.tif 000003
【図２】
2004183214.tif 000004
【図３】
2004183214.tif 000005